(57)【要約】【課題】小型化や高性能化を損なわずにレンズホルダの上動を位置規制できる光ピックアップのレンズ駆動装置を提供すること。【解決手段】レンズ駆動装置１は、対物レンズ１１，１２を保持するレンズホルダ２と、レンズホルダ２をワイヤーサスペンション３を介して可動状態に支持する支持部材４，５と、支持部材４やマグネット６等を載置したベース部材７とを備えている。レンズホルダ２の内部には、対物レンズ１１，１２を挟んでトラッキング方向の片側と他側に位置する一対の空所２ｃ内にそれぞれ連結桟（非規制部）２ｄが設けられている。また、ベース部材７には一対の空所２ｃ内に個別に挿入される一対のストッパ部７ｅが一体形成されており、各ストッパ部７ｅの延出先端部７ｅ１が対応する空所２ｃ内で連結桟２ｄの上方に所定間隔存して配置されている。【選択図】図１
2011003240.tif 000002
【特許請求の範囲】
【請求項１】
対物レンズを保持するレンズホルダと、このレンズホルダを弾性部材を介して可動状態に支持する支持部材と、この支持部材を載置したベース部材とを備え、光ピックアップのキャリッジに取り付けられるレンズ駆動装置において、
前記レンズホルダの内部に前記対物レンズを挟んでトラッキング方向の片側と他側に位置する一対の空所を設けると共に、これら空所内にそれぞれ非規制部を設け、かつ、前記ベース部材に、前記各空所内に個別に挿入されて前記非規制部の上方へ延出する一対のストッパ部を設け、前記レンズホルダが所定の高さ位置まで上動したとき、前記非規制部がその上方に存する前記ストッパ部の前記延出部に当接するようにしたことを特徴とする光ピックアップのレンズ駆動装置。
【請求項２】
請求項１の記載において、前記空所が前記レンズホルダをフォーカス方向に貫通していることを特徴とする光ピックアップのレンズ駆動装置。
【請求項３】
請求項１または２の記載において、前記ベース部材が板金材料からなり、このベース部材に前記ストッパ部が一体形成されていることを特徴とする光ピックアップのレンズ駆動装置。
【請求項４】
請求項１または２の記載において、折曲加工された金属線材を前記ベース部材に取り付けて一体化し、この金属線材のうち前記空所内に配置させた部分を前記ストッパ部となしたことを特徴とする光ピックアップのレンズ駆動装置。
【請求項５】
請求項１〜４のいずれか１項の記載において、前記対物レンズと前記レンズホルダの全体の重心を通ってトラッキング方向に延びる直線の近傍に前記非規制部が配置されていることを特徴とする光ピックアップのレンズ駆動装置。
【発明の詳細な説明】
【技術分野】
【０００１】
本発明は、ＣＤやＤＶＤ、ＢＤ（ブルーレイディスク：登録商標）等の光ディスクに対して情報の記録および／または再生を行う光ディスク装置に搭載される光ピックアップのレンズ駆動装置に係り、特に、対物レンズが保持されたレンズホルダの上動を位置規制するストッパ機構を備えたレンズ駆動装置に関するものである。
【背景技術】
【０００２】
光ピックアップのキャリッジ（移動ベース）は、光ディスク装置のシャーシに保持されているガイド軸に案内されて、該光ディスク装置に装填された光ディスクの径方向に沿って往復移動できるようになっている。このキャリッジには、対物レンズを可動状態に支持するレンズ駆動装置（レンズアクチュエータ）や、半導体発光素子および光検出器を搭載した光学ユニット（ホログラムユニット）等が担持されている。そして、半導体発光素子から出射された半導体レーザが対物レンズで収束されて光ディスクの信号面に光スポットを形成し、該信号面で反射された半導体レーザは対物レンズを透過した後、光検出器にて検出されるようになっている。
【０００３】
一般的に、光ピックアップのレンズ駆動装置は、対物レンズを保持するレンズホルダと、このレンズホルダをワイヤーサスペンション等の弾性部材を介して支持する支持部材と、この支持部材やマグネット等を載置したベース部材とを備えている。そして、レンズホルダに巻装されたコイルに補正電流を通電することによって、マグネット等の磁気回路と該コイルとの相互作用でレンズホルダがフォーカス方向とトラッキング方向とに位置補正できるようになっている。ただし、レンズホルダが可動状態に支持されていることから、その可動範囲を制限しておかないと、外部振動が加わったときにワイヤーサスペンションに過剰な応力が作用して疲労断線を引き起こしたり、フォーカス方向へ大きくぶれたレンズホルダや対物レンズが光ディスクに衝突して傷付けてしまう危険性がある。そこで従来より、レンズホルダの一部をベース部材等と当接可能に対向させることによって、レンズホルダがフォーカス方向およびトラッキング方向へ過度に移動しないように構成したレンズ駆動装置が知られている（例えば、特許文献１参照）。
【０００４】
この場合、レンズ駆動装置のベース部材は平面視でレンズホルダよりも十分に大きいため、レンズホルダのトラッキング方向の移動をベース部材で位置規制することは比較的容易である。また、レンズホルダの底面よりもベース部材の底面のほうが下方に位置しているため、フォーカス方向に沿うレンズホルダの下動をベース部材で位置規制することも比較的容易である。しかるに、対物レンズやレンズホルダと光ディスクとの間には微小な隙間しかないので、レンズホルダの上方にベース部材の一部を延出させることは困難である。そのため、上記特許文献１に開示されたレンズ駆動装置では、レンズホルダの外側面の適宜個所に非規制部を突設すると共に、ベース部材にレンズホルダの上端よりも高さ位置が低いストッパ部を延設し、このストッパ部を前記非規制部の上方に所定間隔存して対向させることによって、フォーカス方向に沿うレンズホルダの上動を位置規制するようにしている。
【先行技術文献】
【特許文献】
【０００５】
【特許文献１】特開２００２−３３４４５９号公報
【発明の概要】
【発明が解決しようとする課題】
【０００６】
ところで、近年、フォーカス方向とトラッキング方向の２軸制御に加えてラジアル方向のチルト角制御も行えるレンズ駆動装置を備えた高性能な光ピックアップが実用化されており、この種のレンズ駆動装置においては、６本のワイヤーサスペンションがレンズホルダの外側面に沿って長く延在している構成のものが広く採用されている。そして、この種のレンズ駆動装置では、レンズホルダの外側面と隣接する空間がほとんどワイヤーサスペンションの配置スペースとして利用されてしまうため、レンズホルダの上動を位置規制するためのストッパ機構を該外側面の隣接空間に配設することが容易でなく、光ピックアップの小型化が促進されると、かかるストッパ機構用のスペースを確保することが一層困難になる。なお、ワイヤーサスペンションが延在していないレンズホルダの残余の外側面の隣接空間にストッパ機構を配設することが考えられるが、これら外側面の隣接空間にはコイルやマグネットが配設されているため、当該部位にストッパ機構用のスペースを確保することも困難である。
【０００７】
本発明は、このような従来技術の実情に鑑みてなされたもので、その目的は、小型化や高性能化を損なわずにレンズホルダの上動を位置規制できる光ピックアップのレンズ駆動装置を提供することにある。
【課題を解決するための手段】
【０００８】
本発明のレンズ駆動装置は、レンズホルダの内部で対物レンズを挟んでトラッキング方向の片側と他側に位置する一対の空所にそれぞれ非規制部を設けると共に、これら空所内に挿入されて非規制部の上方へ延出する一対のストッパ部をベース部材に設け、レンズホルダが所定の高さ位置まで上動したとき、非規制部がストッパ部の延出部に当接することで更なる上動が阻止されるようにした。
【発明の効果】
【０００９】
本発明の光ピックアップのレンズ駆動装置では、レンズホルダの一対の空所内にそれぞれ非規制部の上方に延出するストッパ部が存するため、レンズホルダの空所内においてその上動を効果的に位置規制することができ、光ディスクを傷付ける可能性が低減化されている。また、これらストッパ部と非規制部とからなるストッパ機構がレンズホルダの周囲のスペースファクタに悪影響を及ぼさないため、光ピックアップの小型化や高性能化に好適である。
【図面の簡単な説明】
【００１０】
【図１】本発明の第１実施例に係るレンズ駆動装置の斜視図である。
【図２】図１のレンズ駆動装置の上面図である。
【図３】図１，２に示すレンズホルダの斜視図である。
【図４】図１，２に示すベース部材の斜視図である。
【図５】図４に示すベース部材の下面側の斜視図である。
【図６】本発明の第２実施例に係るレンズ駆動装置のベース部材等を示す斜視図である。
【図７】図６に対応する下面側の斜視図である。
【図８】図６，７に示すストッパ部材の斜視図である。
【発明を実施するための形態】
【００１１】
本発明は、対物レンズを保持するレンズホルダと、このレンズホルダを弾性部材を介して可動状態に支持する支持部材と、この支持部材を載置したベース部材とを備え、光ピックアップのキャリッジに取り付けられるレンズ駆動装置において、前記レンズホルダの内部に前記対物レンズを挟んでトラッキング方向の片側と他側に位置する一対の空所を設けると共に、これら空所内にそれぞれ非規制部を設け、かつ、前記ベース部材に、前記各空所内に個別に挿入されて前記非規制部の上方へ延出する一対のストッパ部を設け、前記レンズホルダが所定の高さ位置まで上動したとき、前記非規制部がその上方に存する前記ストッパ部の前記延出部に当接するように構成した。
【００１２】
このように構成されたレンズ駆動装置は、レンズホルダの一対の空所内でそれぞれベース部材のストッパ部が非規制部の上方へ延出しており、レンズホルダが所定の高さ位置まで上動したとき、非規制部がストッパ部の延出部に当接することによってレンズホルダの更なる上動が阻止されるため、レンズホルダの空所内においてその上動を効果的に位置規制することができて、光ディスクを傷付ける可能性が低くなる。また、これらストッパ部と非規制部とからなるストッパ機構はレンズホルダの周囲のスペースファクタに悪影響を及ぼさないため、このレンズ駆動装置は光ピックアップの小型化や高性能化に好適である。
【００１３】
上記の構成において、レンズホルダの一対の空所が該レンズホルダをフォーカス方向に貫通していると、空所内にベース部材のストッパ部を組み込む作業が容易に行えると共にレンズホルダを軽量化できるため好ましい。
【００１４】
また、上記の構成において、ベース部材が板金材料からなり、このベース部材にストッパ部が一体形成されていると、部品点数や組立工数を増加させることなくストッパ部を設けることができる。ただし、ストッパ部がベース部材に一体形成されていない構成も可能であり、例えば、折曲加工された金属線材をベース部材に取り付けて一体化し、この金属線材のうちレンズホルダの空所内に配置させた部分をストッパ部となしてもよい。
【００１５】
また、上記の構成において、可動部である対物レンズとレンズホルダの全体の重心を通ってトラッキング方向に延びる直線の近傍にレンズホルダの非規制部が配置されていると、非規制部がストッパ部の延出部に当接したときにレンズホルダに回転力が作用しにくくなるため、光ディスクを傷付ける可能性が一層低くなって好ましい。
【実施例１】
【００１６】
以下、本発明の第１実施例を図１〜図５を参照しつつ説明する。これらの図において、レンズ駆動装置（レンズアクチュエータ）１は、対物レンズ１１，１２を保持すると共に６個のコイル８が巻装されたレンズホルダ２と、レンズホルダ２を導電性の６本のワイヤーサスペンション３を介して可動状態に支持する支持体４および支持板５と、支持体４や一対のマグネット６等を載置したベース部材７とによって主に構成されている。
【００１７】
図２に示すように、レンズ駆動装置１は光ピックアップのキャリッジ（移動ベース）２０に担持されている。また、図示省略されているが、キャリッジ２０には半導体発光素子および光検出器を搭載した光学ユニット（ホログラムユニット）等も担持されており、光ディスク装置に装填された光ディスクの径方向（図２の上下方向）に沿ってキャリッジ２が往復移動できるようになっている。そして、半導体発光素子から出射された半導体レーザが対物レンズ１１または対物レンズ１２で収束されて光ディスクの信号面に光スポットを形成し、該信号面で反射された半導体レーザが対物レンズ１１または対物レンズ１２を透過した後、光検出器にて検出されるようになっている。なお、本実施例において、対物レンズ１１はＣＤおよびＤＶＤ用であり、対物レンズ１２はＢＤ用である。
【００１８】
レンズホルダ２は外形が平面視略矩形状の樹脂成形品であり、トラッキング方向に沿う略平行な一対の外側面にコイル８が３個ずつ巻装されている。また、タンジェンシャル方向に沿うレンズホルダ２の略平行な一対の外側面２ａにはそれぞれコイル端子部２ｂが突設されており、各コイル端子部２ｂにそれぞれ３本のワイヤーサスペンション３の先部が接続・固定されている。レンズホルダ２の中央部に保持されている対物レンズ１１，１２は外側面２ａに沿うように並設されており、対物レンズ１２と各外側面２ａとの間にそれぞれ空所２ｃが形成されている。これら空所２ｃはレンズホルダ２をフォーカス方向に貫通しており、図３に示すように、各空所２ｃ内に連結桟２ｄが形成されている。空所２ｃを設けることによってレンズホルダ２は軽量化されており、連結桟２ｄを設けることによって空所２ｃ近傍の壁部の機械的強度が高められている。また、後述するように、連結桟２ｄはレンズホルダ２の過度の上動を阻止するストッパ機構の非規制部としても機能し、図２に示すように、可動部である対物レンズ１１，１２とレンズホルダ２の全体の重心Ｇを通ってトラッキング方向に延びる直線Ｌの近傍に、一対の連結桟２ｄがトラッキング方向内側と外側に分散されて位置している。なお、レンズホルダ２の上面には対物レンズ１２を挟む２個所に球面状の保護突起２ｅが突設されており、保護突起２ｅの上端は対物レンズ１２の上端よりも僅かに上に位置している。これら保護突起２ｅは、光ディスクとの作動距離（ワーキングディスタンス）が極めて短いＢＤ用の対物レンズ１２が、万一にも光ディスクと衝突しないように配慮して形成されたものである。
【００１９】
ベース部材７は板金材料からなり、図４，５に示すような外観を呈している。このベース部材７にはピボット７ａや複数の取付孔７ｂが形成されており、各取付孔７ｂに図示せぬ取付ねじを螺着させることによって、ベース部材７はピボット７ａを中心にスキュー角度が調整可能な状態でキャリッジ２０に取り付けられる。また、ベース部材７には開口部７ｃの周囲に、タンジェンシャル方向に並んで相対向する一対のヨーク板７ｄと、トラッキング方向に並んで相対向する一対のストッパ部７ｅとが、それぞれ上方へ折り曲げられた起立姿勢で形成されている。
【００２０】
一対のヨーク板７ｄの対向面にはそれぞれマグネット６が固着され、図１，２に示すように、レンズホルダ２に巻装されたコイル８が各マグネット６の近傍に３個ずつ配置される。そして、ワイヤーサスペンション３を介して各コイル８に選択的に補正電流を通電することによって、マグネット６等の磁気回路とコイル８との相互作用でレンズホルダ２がフォーカス方向あるいはトラッキング方向に位置補正できると共に、レンズホルダ２のラジアル方向のチルト角制御が行えるようになっている。
【００２１】
ベース部材７のストッパ部７ｅはＬ字状の折曲片であり、レンズホルダ２の空所２ｃ内においてストッパ部７ｅの先端部が連結桟（非規制部）２ｄの上方へ延出している。つまり、ベース部材７にレンズホルダ２を組み付ける際に、一対のストッパ部７ｅを一対の空所２ｃ内へ下方から挿入することによって、図１，２に示すように、各ストッパ部７ｅの延出先端部７ｅ１をそれぞれ対応する空所２ｃ内で連結桟２ｄの上方に所定間隔存して配置させている。これにより、レンズホルダ２がフォーカス方向に沿って所定の高さ位置まで上動した時点で、連結桟２ｄを延出先端部７ｅ１に当接させることができるため、レンズホルダ２の上動がストッパ部７ｅで位置規制されるようになっている。また、各ストッパ部７ｅはそれぞれ対応する空所２ｃの内側面と所定の間隙を存して対向しているため、空所２ｃの内側面がストッパ部７ｅに向かって該間隙分だけ移動すると、両者が当接してレンズホルダ２は位置規制される。したがって、レンズホルダ２のトラッキング方向の可動範囲もストッパ部７ｅによって制限できるようになっている。
【００２２】
樹脂成形品である支持体４は各ワイヤーサスペンション３を貫通させて支持しており、この支持体４の背面にはプリント基板等からなる支持板５の中央部が固定されている。支持板５の左右両端部は弾性変形可能であり、これら右端部と左端部に３本ずつワイヤーサスペンション３の基端部が接続・固定されている。図１，２に示すように、支持体４はベース部材７の一側部上に搭載されて固定されており、この支持体４や支持板５が６本のワイヤーサスペンション３を介してレンズホルダ２を可動状態に支持している。
【００２３】
このように本実施例に係るレンズ駆動装置１は、レンズホルダ２の内部に対物レンズ１１，１２を挟んでトラッキング方向の片側と他側に位置する一対の空所２ｃが設けてあり、これら空所２ｃ内にはそれぞれレンズホルダ２の連結桟（非規制部）２ｄの上方にベース部材７に形成されたストッパ部７ｅの延出先端部７ｅ１が存するため、レンズホルダ２が所定の高さ位置まで上動した時点で、連結桟２ｄを延出先端部７ｅ１に当接させてレンズホルダ２の更なる上動を阻止することができる。しかも、これら連結桟２ｄは、可動部である対物レンズ１１，１２とレンズホルダ２の全体の重心Ｇを通ってトラッキング方向に延びる直線Ｌの近傍に配置されているため、連結桟２ｄが延出先端部７ｅ１に当接したときにレンズホルダ２に回転力が作用しにくくなっている。それゆえ、このレンズ駆動装置１は、レンズホルダ２の空所２ｃ内においてその上動を効果的に位置規制することができて、光ディスクを傷付ける可能性が大幅に低減されている。また、これらストッパ部９ｅと連結桟２ｄとからなるストッパ機構は、レンズホルダ２の周囲のスペースファクタに悪影響を及ぼさないため、このレンズ駆動装置１は光ピックアップの小型化や高性能化に好適である。
【００２４】
また、本実施例に係るレンズ駆動装置１は、各空所２ｃがレンズホルダ２をフォーカス方向に貫通しているため、空所２ｃ内にベース部材７のストッパ部７ｅを組み込む作業が容易に行えると共に、レンズホルダ２が軽量化されている。
【００２５】
また、本実施例に係るレンズ駆動装置１は、板金材料からなるベース部材７にストッパ部７ｅが一体形成されているため、部品点数や組立工数を増加させることなくストッパ部７ｅを設けることができる。
【実施例２】
【００２６】
次に、本発明の第２実施例を図６〜図８を参照しつつ説明する。ただし、これらの図において、図４や図５と対応する部分には同一符号が付してあるため、重複する説明は省略する。
【００２７】
図６，７に示すように、第２実施例に係るレンズ駆動装置のベース部材７には、所定形状にフォーミングされた金属線材９を嵌着させるための係止溝７ｆや係止突起７ｇが形成されている。この金属線材９は比較的剛性の高い線材を図８に示すような形状に折曲加工して形成されたものであり、金属線材９のうち両端部のＬ字状部分が、前記第１実施例におけるストッパ部７ｅと同様に機能するストッパ部９ａとなっている。金属線材９は係止溝７ｆや係止突起７ｇを利用してベース部材７に嵌め込むようにして一体化され、このベース部材７に前記第１実施例と同様のレンズホルダを組み付けると、金属線材９の一対のストッパ部９ａがレンズホルダの一対の空所（前記第１実施例における空所２ｃに相当）内に個別に配置される。そして、各ストッパ部９ａの先端側の延出先端部９ａ１が、対応する空所内においてレンズホルダの連結桟（前記第１実施例における連結桟２ｄに相当）の上方に所定間隔存して配置されるようになっている。
【００２８】
したがって、この第２実施例においても、レンズホルダが所定の高さ位置まで上動した時点で、連結桟を延出先端部９ａ１に当接させることによりレンズホルダの更なる上動を阻止することができる。つまり、ベース部材７に別体の金属線材９を取り付けて一体化することによっても、レンズホルダの内部（空所内）でレンズホルダの上動を効果的に位置規制することができる。
【符号の説明】
【００２９】
１  レンズ駆動装置
２  レンズホルダ
２ｃ  空所
２ｄ  連結桟（非規制部）
３  ワイヤーサスペンション（弾性部材）
４  支持体（支持部材）
５  支持板（支持部材）
６  マグネット
７  ベース部材
７ｅ  ストッパ部
７ｅ１  延出先端部（延出部）
８  コイル
９  金属線材
９ａ  ストッパ部
９ａ１  延出先端部（延出部）
１１，１２  対物レンズ
２０  キャリッジ
Ｇ  重心
【図１】
2011003240.tif 000003
【図２】
2011003240.tif 000004
【図３】
2011003240.tif 000005
【図４】
2011003240.tif 000006
【図５】
2011003240.tif 000007
【図６】
2011003240.tif 000008
【図７】
2011003240.tif 000009
【図８】
2011003240.tif 000010